(57)【要約】      （修正有）【課題】実際上または演出上の種々の要請に応えることが可能な照明装置を提供する。【解決手段】識別可能な第1の照明灯と第２の照明灯を互いに所定関係に配置し、第1、第２の照明灯の相互関係を決定する制御信号を第１、第２の照明灯にそれぞれ識別可能に送信する。第１、第２の照明灯はそれぞれ複数のＬＥＤを含む。第１、第２の照明灯は互いに継ぎ目なく発光して見えるよう配置される。第１、第２の照明灯の少なくとも一方の途中で発光態様を異ならしめるとともに第１、第２の照明灯の接続部分では共通の発光態様となるよう相互関係を決定することで、ライン状の照明において点灯部分と消灯部分の区切りやグラデーションの区分をフレキシブルに行う。照明灯の識別信号を照明灯配置部に記憶させ、照明灯の交換時に継承する。【選択図】図３
2010277743.tif 000002
【特許請求の範囲】
【請求項１】
第１の所定位置に配置されるとともに識別可能な第1の照明灯と、前記第１の所定位置と所定関係にある第２の所定位置に配置されるとともに識別可能な第２の照明灯と、前記第1の照明灯および前記第２の照明灯の相互関係を決定する決定手段と、前記決定手段の決定を実現するため前記第１の照明灯および前記第２の照明灯にそれぞれ識別可能な制御信号を送信する送信手段とを有することを特徴とする照明装置。
【請求項２】
前記第１の照明灯および前記第２の照明灯はそれぞれ複数のＬＥＤを含むことを特徴とする請求項１記載の照明装置。
【請求項３】
前記第１の照明灯および前記第２の照明灯は互いに継ぎ目なく発光して見えるよう配置されることを特徴とする請求項１または２記載の照明装置。
【請求項４】
前記決定手段は前記第１の照明灯および前記第２の照明灯の少なくとも一方の途中で発光態様を異ならしめるとともに前記第１の照明灯および前記第２の照明灯の接続部分では共通の発光態様となるよう相互関係を決定することを特徴とする請求項３記載の照明装置。
【請求項５】
前記決定手段は発光態様を異ならしめる部分を変更可能であることを特徴とする請求項４記載の照明装置。
【請求項６】
前記第1の所定位置および前記第２の所定位置に識別情報記憶手段を設けるとともに、前記第1の照明灯および前記第２の照明灯は前記第1の所定位置および前記第２の所定位置に配置した際、前記識別情報記憶手段から識別情報を取得することを特徴とする請求項１から５のいずれかに記載の照明装置。
【請求項７】
照明灯が配置される所定位置に設けられる情報記憶手段と、前記所定位置に配置した際に前記情報記憶手段から記憶情報を取得する照明灯とを有することを特徴とする照明装置。
【請求項８】
前記記憶情報は前記照明灯の制御に必要な情報であることを特徴とする請求項７記載の照明装置。
【請求項９】
前記記憶情報は前記照明灯から前記情報記憶手段に記憶され、前記照明灯が交換された際新たな照明灯は前記情報記憶手段から記憶情報を取得することを特徴とする請求項７または８記載の照明装置。
【発明の詳細な説明】
【技術分野】
【０００１】
本発明は、照明装置に関する。
【背景技術】
【０００２】
天井照明や壁面照明のためには通常長管形の蛍光灯が用いられる。また、ライン状の照明の継ぎ目を感じさせないために例えば間接照明などにおいては、直接目視できない溝部内において長管形の蛍光灯の端部を重ねて配置することも行われている。さらに、長管形の蛍光灯自体の構造を工夫して端部まで発光するようにし、蛍光灯をライン状に配列しても継ぎ目を感じさせないようにすることも提案されている。（特許文献１）一方、近年ＬＥＤの利用が進む中で、白色ＬＥＤを蛍光灯と互換可能に構成して一般の天井照明に用いることも提案されている。(特許文献２)
【先行技術文献】
【特許文献】
【０００３】
【特許文献１】特開２００８−２８２７４３号公報
【特許文献２】特開２００４−３３５４２６号公報
【発明の概要】
【発明が解決しようとする課題】
【０００４】
しかしながら、照明の現場においては多様な要請があり、これに応えるためにはまだ種々検討すべき課題が多い。
【０００５】
本発明の課題は、上記に鑑み、実際上または演出上の種々の要請に応えることが可能な照明装置を提供することにある。
【課題を解決するための手段】
【０００６】
上記課題を解決するため、第１の所定位置に配置されるとともに識別可能な第1の照明灯と、第１の所定位置と所定関係にある第２の所定位置に配置されるとともに識別可能な第２の照明灯と、第1の照明灯および第２の照明灯の相互関係を決定する決定手段と、決定手段の決定を実現するため第１の照明灯および第２の照明灯にそれぞれ識別可能な制御信号を送信する送信手段とを有する照明装置を提供する。これによって、複数の照明灯を相互に関連させて制御することが可能となる。
【０００７】
本発明の具体的な特徴によれば、第１の照明灯および第２の照明灯はそれぞれ複数のＬＥＤを含む。このように照明灯に含まれる光源が複数になることにより、第1の照明灯と第２の照明灯の相互関係をフレキシブルにすることが可能となる。
【０００８】
本発明の他の具体的な特徴によれば、第１の照明灯および前記第２の照明灯は互いに継ぎ目なく発光して見えるよう配置される。これによって継ぎ目のないライン状の照明が可能となり、このようなライン状の照明において第１の照明灯および前記第２の照明灯を相互に関連させることができる。
【０００９】
上記本発明のさらに具体的な特徴によれば、決定手段は第１の照明灯および第２の照明灯の少なくとも一方の途中で発光態様を異ならしめるとともに第１の照明灯および第２の照明灯の接続部分では共通の発光態様となるよう相互関係を決定する。これによってライン状の照明において点灯部分と消灯部分を区切ったり、グラデーションをつけたりする際においてその区分をフレキシブルに行うことができる。そして、さらに具体的な特徴によれば、発光態様を異ならしめる部分を変更可能とすることもできる。
【００１０】
本発明の他の特徴によれば、照明灯が配置される所定位置に設けられる情報記憶手段と、この所定位置に配置した際に情報記憶手段から記憶情報を取得する照明灯とを有する照明装置が提供される。これによって、照明灯を交換した際においても新たに配置した照明灯は所定位置において必要な情報を情報記憶手段から取得することができる。
【００１１】
上記本発明の具体的な特徴によれば、記憶情報は照明灯の制御に必要な情報である。例えば上記のように複数の照明灯関連付けて制御する際に個々の照明灯を識別する情報として有用である。また、上記本発明の他の具体的な特徴によれば、記憶情報は前記照明灯から前記情報記憶手段に記憶され、前記照明灯が交換された際新たな照明灯は前記情報記憶手段から記憶情報を取得する。この構成によれば、情報記憶手段に初めから情報を記憶させておく必要がなく配置された照明灯を通じて情報を記憶することが可能となり、以後照明灯を交換してもその情報が継承されることになる。
【発明の効果】
【００１２】
上記のように本発明によれば、複数の照明灯を相互に関連させて制御することが可能となるほか、照明灯に必要な情報を効果的に取得することができる。
【図面の簡単な説明】
【００１３】
【図１】本発明の照明装置の実施例１の種々の点灯状態における外観図である。（実施例１）
【図２】実施例１の照明装置を天井に設置した際の配置図である。
【図３】実施例１の要部断面を模式的に示したブロック図である。
【図４】実施例１のＬＥＤ照明灯の詳細構成を示すブロック図である。
【図５】実施例１の白色ＬＥＤ群等の詳細構成を示すブロック図である。
【図６】実施例１のリモコンの詳細構成を示すブロック図である。
【図７】実施例１における照明制御部の機能を示すフローチャートである。
【図８】実施例１におけるリモコン制御部の機能を示す基本フローチャートである。
【図９】図８のステップＳ４８の詳細を示すフローチャートである。
【図１０】図８のステップＳ６４詳細を示すフローチャートである。
【図１１】図８のステップＳ６８の詳細を示すフローチャートである。
【図１２】本発明の実施例２のＬＥＤ照明灯の詳細構成を示すブロック図である。（実施例２）
【図１３】本発明の実施例３のＬＥＤ照明灯の詳細構成を示すブロック図である。（実施例３）
【発明を実施するための形態】
【実施例１】
【００１４】
図１は、本発明の実施の形態に係る照明装置の実施例１における種々の点灯状態における外観図である。図１（Ａ１）はライン状のＬＥＤ照明灯２、４および６が一直線に配置され、全て点灯している様子を示す。各ＬＥＤ照明灯２、４および６は、それぞれ内部に多数の白色ＬＥＤ８、１０および１１等が一列に配置されており、これをそれぞれ透過拡散性のカバーが覆う構造となっている。なお、図１（Ａ１）では白色ＬＥＤ８、１０および１１等を模式的に大きく図示しているが、実際には各ＬＥＤ照明灯２、４および６にはもっと多くの白色ＬＥＤ（例えば２８８個）が列状に配置されている。
【００１５】
また、各ＬＥＤ照明灯２、４および６は互いに端部同士が密接して配置されているので、例えばＬＥＤ照明灯２の図上左端の白色ＬＥＤ１０はＬＥＤ照明灯４の右端の白色ＬＥＤ１１と近接した位置で発光し、且つ個々の透過拡散性のカバーのために個々の白色ＬＥＤは識別できないので、各ＬＥＤ照明灯２、４および６は継ぎ目のない連続した一本のＬＥＤ照明灯のように発光する。
【００１６】
図１（Ａ２）はＬＥＤ照明灯２、４および６が全て消灯している様子を示す。このように、実施例１における最も単純な点灯状態は、図１（Ａ１）と図１（Ａ２）との間でＬＥＤ照明灯２、４および６が全体として一本のＬＥＤ照明灯のように点灯または消灯するものである。実施例１はまた、ＬＥＤ照明灯毎の点灯制御も可能である。図（Ａ３）はその一例であって、ＬＥＤ照明灯２が消灯されているとともにＬＥＤ照明灯４、６は消灯されている。図（Ａ３）のような点灯は、例えば講演会場の照明において、ＬＥＤ照明灯６側にプロジェクタの投影スクリーンがあり、ＬＥＤ照明灯２側に聴講者の座席があって、メモをとるための照明が必要な場合などに好適である。
【００１７】
本発明の実施例１では、さらに、各ＬＥＤ照明灯２、４および６内の白色ＬＥＤがそれぞれ６つの区分毎に独立して点灯制御可能となっている。その詳細は後述する。上記のように、実施例１では各ＬＥＤ照明灯２、４および６は継ぎ目のない一本のＬＥＤ照明灯のように発光するので、その一部を点灯させる場合、点灯と消灯の区切りは必ずしも図１（Ａ３）のようにＬＥＤ照明灯の境目である必要はなく、ＬＥＤ照明灯の途中であってもよい。図１（Ｂ１）から（Ｂ３）はこの様子を示したものである。
【００１８】
例えば、図１（Ｂ１）は、ＬＥＤ照明灯４および６とともにＬＥＤ照明灯２の左から１／６を消灯させ、ＬＥＤ照明灯２の残りの５／６を点灯させたものである。また、図１（Ｂ２）は、ＬＥＤ照明灯６とともにＬＥＤ照明灯４の左から４／６を消灯させ、ＬＥＤ照明灯４の残りの２／６をＬＥＤ照明灯２とともに点灯させたものである。ここで注目すべきは、ＬＥＤ照明灯２とＬＥＤ照明灯４の点灯部分が継ぎ目なく点灯して見えることである。還元すれば、ＬＥＤ照明灯２、４および６は継ぎ目のない一本のＬＥＤ照明灯のごとく機能し、その点灯と消灯の区切りはＬＥＤ照明灯４の途中の部分となっていることである。同様に、図１（Ｂ３）は、ＬＥＤ照明灯６の左から２／６を消灯させ、ＬＥＤ照明灯６の残りの４／６をＬＥＤ照明灯４および２とともに点灯させたものである。この場合、点灯と消灯の区切りはＬＥＤ照明灯６の途中の部分となる。
【００１９】
上記のように、実施例１は、ＬＥＤ照明灯間の継ぎ目がないように発光させるとともに各ＬＥＤ照明灯内の白色ＬＥＤを複数に区分して独立制御可能とすることにより、点灯と消灯の区切をフレキシブルに制御できる。これは、例えば上記のプロジェクタの投影スクリーンがある講演会場の照明において、会場の条件に応じた最適の照明を可能とする。なお、このような制御においては、点灯と消灯の区切が偶々図１（Ａ３）のようにＬＥＤ照明灯間の境目となることを妨げない。つまり、点灯と消灯の区切という観点からは、ＬＥＤ照明灯間の境目とＬＥＤ照明灯の途中は全く等価である。実際の点灯と消灯の区切の変更は、後述のように、直線方向に移動可能なレバーをリモートコントローラに設け、これをＬＥＤ照明２から６の列方向に対応してスライドさせることにより容易に操作可能である。
【００２０】
本発明の実施例１は、さらに、ＰＷＭ（パルス幅変調）制御により点灯時の明るさを調光可能であり、かつその調光をＬＥＤ照明灯単位だけでなく上記の各ＬＥＤ照明灯内の白色ＬＥＤの６つの区分毎に独立して制御可能である。従って、図１（Ａ１）のように全てのＬＥＤ照明灯２、４および６を点灯させた場合においてその明るさを全体的に調節できるほか、ＬＥＤ照明灯の列方向にグラデーションをつけて調光することが可能である。図１（Ｃ１）から図１（Ｃ３）はその様子を図示したものである。
【００２１】
図１（Ｃ１）は、ＬＥＤ照明灯単位でグラデーションをつけた例であり、ＬＥＤ照明灯２はデューティー１００％、ＬＥＤ照明灯４はデューティー５０％、ＬＥＤ照明灯６はデューティー２５％でそれぞれ制御している。換言すれば、デューティー変化の区切りがＬＥＤ照明灯の境目になっている例である。これに対し、図１（Ｃ２）は、各ＬＥＤ照明灯内の白色ＬＥＤの６つの区分毎の独立制御によりグラデーションをつけた例である。つまり、ＬＥＤ照明灯２の右から５／６はデューティー１００％、ＬＥＤ照明灯２の残り１／６とＬＥＤ照明灯４の右から４／６はデューティー５０％、ＬＥＤ照明灯４の残り２／６とＬＥＤ照明灯６の右から４／６はデューティー２５％、ＬＥＤ照明灯６の残り２／６はデューティー１３％でそれぞれ制御している。換言すれば、デューティー変化の区切りがＬＥＤ照明灯の途中になっている例である。この場合も、デューティーが同じＬＥＤ照明灯同士の境目は継ぎ目なく連続している。
【００２２】
図１（Ｃ３）は、図１（２）と同様にして、デューティー変化の区切りがＬＥＤ照明灯の途中になっている例であるが、一方向にデューティーが変化するのではなく、一連のＬＥＤ照明灯２、４および６において中央から両端に向かってだんだん明るさが小さくなるような調光が行われている。また、ＬＥＤ照明灯２および６において、デューティー変化の区切りがＬＥＤ照明灯の途中においてそれぞれ二箇所生じている。
【００２３】
図１（Ｃ１）から図（Ｃ３）のようなグラデーション調光は、日中における窓のある部屋の照明に好適である。図１（Ｃ１）および図（Ｃ２）はいずれも、図において部屋の左側に窓があり、外部からの採光が可能な窓近くでは照明を落とし、部屋全体の明るさを均一にするとともに節電を図るものである。同様のことは図１（Ａ１）および図（Ｂ１）か図（Ｂ３）のような制御により窓近くのＬＥＤ照明灯またはその一部分を完全に消灯することによっても大まかには可能であるが、完全な消灯は部屋のイメージを暗くすることもあるので、図１（Ｃ１）や図（Ｃ２）のようなグラデーション調光が可能であることは部屋の明るさを均一にするとともに心理上も有益である。なお、図１（Ｃ３）のようなグラデーション調光は部屋の両側に窓がある場合に好適である。
【００２４】
図２は、実施例１の照明装置を天井に設置した際の配置図であり、天井１３を下から見上げた状態を図示している。図２（Ａ１）は、図１における図１（Ａ１）の状態に対応するもので、天井１３に配置されたＬＥＤ照明灯が全て点灯している様子を示す。図２（Ａ１）において、天井１３には、ＬＥＤ照明灯２、４および６の列に加え、ＬＥＤ照明灯１２、１４および１６の列、さらにはＬＥＤ照明灯２２、２４および２６の列の合計３列のＬＥＤ照明灯が配置されている。各ＬＥＤ照明灯は後述する保持部によってそれぞれ天井１３に設置され、後述する配線によりそれぞれ給電されている。
【００２５】
また、ＬＥＤ照明灯２、４および６が設置される天井１３の保持部にはそれぞれ対応してＩＣタグ１８、１９および２０が設けられている。同様に、ＬＥＤ照明灯１２、１４および１６にそれぞれ対応してＩＣタグ１８、１９および２０が、さらにＬＥＤ照明灯２２、２４および２６にそれぞれ対応してＩＣタグ３８、３９および４０がそれぞれ設けられている。ＩＣタグ１８、１９、２０、２８、２９、３０、３８、３９および４０には二種の情報が格納されている。その一つはＩＣタグ固有のＩＤであり、他の一つはＬＥＤ照明灯を制御するための制御信号のチャンネルである。例えば、ＩＣタグ１８、２８および３８には第1チャンネルが、ＩＣタグ１９、２９および３９には第２チャンネルが、また、ＩＣタグ２０、３０および４０には第３チャンネルが設定され記憶されている。チャンネル設定方法の詳細については後述する。
【００２６】
後述のように各ＬＥＤ照明灯にはＩＣタグリーダライタが設けられており、ＬＥＤ照明灯が保持部に取り付けられた際、その取り付け位置のＩＣタグよりチャンネル情報を読み取る。具体的には、上記のＩＣタグの格納情報に基づく場合、ＬＥＤ照明灯２、１２および２２は第1チャンネルを、ＬＥＤ照明灯４、１４および２４は第２チャンネルを、ＬＥＤ照明灯６、１６および２６は第３チャンネルを読み取る。づまり、図２の縦方向に同じ列にあるＬＥＤ照明灯には同じチャンネルが読み取られることになる。このようにして決められた各ＬＥＤ照明灯のチャンネルに基づき、後述するようにリモコンから各チャンネル毎に点灯状態を制御する信号が送信される。図２（Ａ１）は、全てのチャンネルを通じてデューティー１００％での全点灯信号が送信された結果のものである。
【００２７】
図２（Ｂ２）は、図１における図１（Ｂ２）の状態に対応するもので、３列のＬＥＤ照明灯列の図２の右側がＬＥＤ照明灯４、１４、２４のそれぞれ途中を区切りとして点灯している様子を示す。このような点灯状態とするためには、チャンネル１を通じてデューティー１００％での全点灯信号を送信し、チャンネル２を通じて右側４／６のみをデューティー１００％で点灯させる信号を送信するとともに、チャンネル３では消灯信号を送信する。これらの各チャンネルの信号の送信は、望む点灯状態を決定すれば自動的に行われるので、個別に手動で送信操作をする必要はない。図１でも述べたように、図２（Ｂ２）のような点灯状態は、図２の左側にプロジェクタの投影スクリーンがあり右側に聴講者の座席がある講演会場の照明等において好適である。
【００２８】
図２（Ｃ２）は、図１における図１（Ｃ２）の状態に対応するもので、３列のＬＥＤ照明灯列の図２の右側に行くほど徐々に暗くなるようなグラデーション照明が行われている様子を示す。このような点灯状態とするためには、チャンネル１を通じて右側５／６がデューティー１００％となるとともに残りがデューティー５０％となる点灯信号を送信し、チャンネル２を通じて右側４／６がデューティー５０％となるとともに残りがデューティー２５％となる点灯信号を送信し、チャンネル３を通じて右側４／６がデューティー２５％となるとともに残りがデューティー１３％となる点灯信号をそれぞれ送信する。これらの各チャンネルの信号の送信も望むグラデーション状態を決定すれば自動的に行われるので、個別に手動で送信操作をする必要はない。図１でも述べたように、図２（Ｃ２）のような点灯状態は、図２の左側に窓があるような部屋の照明等において好適である。
【００２９】
図３は、実施例１の要部断面を模式的に示したブロック図であり、ＬＥＤ照明灯４を中心に図示している。また、図１、図２と同一の部分には同一の番号を付す。天井１３には保持部５２が取り付けられており、その内部を配線５４が巡っている。また、図２でも述べたように、保持部５２にはＬＥＤ照明灯４、６などの取り付け場所にそれぞれ対応してＩＣタグ１９、２０などが設けられている。
【００３０】
保持部５２に交換可能に取り付けられるＬＥＤ照明灯４は、白色ＬＥＤ群５６を含む発光部５８を有し、配線５４に接続される電源部６０から給電されている。白色ＬＥＤ群５６は、図１の白色ＬＥＤ１１などを総称したものである。なお、図示は省略しているが、電源部６０は照明制御部６２、無線通信部６４、ＩＣタグリーダライタ６６などＬＥＤ照明灯４内の他の部分にもそれぞれ必要な電圧を供給している。照明制御部６２は、無線通信部６４が受信するリモコン信号に基づいて発光部の点灯状態を制御する。
【００３１】
照明制御部６２は、ＬＥＤ照明灯の制御のためのプログラムおよび必要なデータを記憶しておくための記憶部を有する。なお、無線通信部６４が受信するリモコン信号は赤外線通信やＺｉｇｂｅｅ（商標）などのＷＰＡＮ（Ｗｉｒｅｌｅｓｓ  Ｐｅｒｓｏｎａｌ  Ａｒｅａ  Ｎｅｔｗｏｒｋ）に基づくものである。また、ＩＣタグリーダライタ６６はＬＥＤ照明灯４が保持部５２に取り付けられたとき、ＩＣタグ１９と交信し、ＩＣタグ固有のＩＤを読み取るとともに、チャンネルが格納されている場合にはこれも読み取って記憶する。また、ＩＣタグ１９にチャンネルが格納されていない場合にはＩＣタグリーダライタ６６からこれを書き込む。これらの機能の詳細は後述する。
【００３２】
リモコン６８は、各ＬＥＤ照明灯を操作するための操作部７０を有する。リモコン制御部７２は操作部７０による手動操作に基づいて無線制御部７４にリモコン信号の送信を指示する。リモコン制御部７２は、リモコン制御のためのプログラムおよび必要なデータを記憶しておくための記憶部を有する。各ＬＥＤ照明灯の無線通信部６４は、リモコン６８からのリモコン信号を受けて照明制御部６２に伝達する。他のＬＥＤ照明灯２、６等も上記に説明したＬＥＤ照明灯４と同様の構成を持ち、それぞれ配線５４から給電されるとともに、リモコン６８からのリモコン信号によって制御される。
【００３３】
図４は、実施例１のＬＥＤ照明灯の詳細構成を示すブロック図であり、図３と共通の部分には同一番号を付す。白色ＬＥＤ群５６は、第１ＬＥＤ群８２、第２ＬＥＤ群８４、第３ＬＥＤ群８６、第４ＬＥＤ群８８、第５ＬＥＤ群９０および第６ＬＥＤ群９２の６つに区分されている。これは、図１で説明した発光の部分制御を可能とするためである。また、電源部６０は二つに区分されており、第１電源部９４は、第１ＬＥＤ群８２、第２ＬＥＤ群８４および第３ＬＥＤ群８６に給電する。一方、第２電源部９６は、第４ＬＥＤ群８８、第５ＬＥＤ群９０および第６ＬＥＤ群９２に給電している。
【００３４】
第１ＬＥＤ群８２、第２ＬＥＤ群８４、第３ＬＥＤ群８６、第４ＬＥＤ群８８、第５ＬＥＤ群９０および第６ＬＥＤ群９２は、それぞれスイッチ素子９８、１００、１０２、１０４、１０６および１０８を介して定電流源１１０、１１２、１１４、１１６、１１８および１２０に接続されている。これによって、スイッチ素子９８、１００、１０２、１０４、１０６および１０８をそれぞれ個別に制御すれば、第１ＬＥＤ群８２、第２ＬＥＤ群８４、第３ＬＥＤ群８６、第４ＬＥＤ群８８、第５ＬＥＤ群９０および第６ＬＥＤ群９２の点灯状態を個別に制御できる。
【００３５】
スイッチ素子９８、１００、１０２、１０４、１０６および１０８は、それぞれＰＷＭ制御部１２２、１２４、１２６、１２８、１３０および１３２によりパルス駆動されており、それぞれのＰＷＭ制御におけるデューティーサイクルを１００％からゼロの間で変更することによりフル点灯から消灯の間で第１ＬＥＤ群８２、第２ＬＥＤ群８４、第３ＬＥＤ群８６、第４ＬＥＤ群８８、第５ＬＥＤ群９０および第６ＬＥＤ群９２の明るさを独立に調光できる。
【００３６】
ＰＷＭ制御部１２２、１２４および１２６にそれぞれ個別に与えられるデューティーサイクルは第1個別デューティー制御部１３４が制御する。一方、ＰＷＭ制御部１２８、１３０および１３２にそれぞれ個別に与えられるデューティーサイクルは第２個別デューティー制御部１３６が制御する。第1個別デューティー制御部１３４および第２個別デューティー制御部１３６はそれぞれ照明制御部６２によって制御されている。以上の構成により、無線通信部６４から伝えられるリモコン信号に基づき、第１ＬＥＤ群８２、第２ＬＥＤ群８４、第３ＬＥＤ群８６、第４ＬＥＤ群８８、第５ＬＥＤ群９０および第６ＬＥＤ群９２の点灯と消灯および点灯時の明るさが個別に制御でき、図１に示したようなＬＥＤ照明灯の途中を区切りとした点灯制御が可能となる。
【００３７】
図５は、実施例１の白色ＬＥＤ群等の詳細構成を示すブロック図であり、図４と共通の部分には同一番号を付す。なお、図５には第１電源部９４が担当する部分だけを図示しているが、第２電源部が担当する部分も同様の構成である。図５に示すように各白色ＬＥＤ群に関連する構成はそれぞれ一つの基板上にまとめられている。具体的には、第１ＬＥＤ群８２に関する構成は第１基板１３８に、第２ＬＥＤ群８４に関する構成は第２基板１４０に、第３ＬＥＤ群８６に関する構成は第３基板１４２に実装されている。つまり、一つのＬＥＤ照明灯の点灯および消灯ならびに点当時の明るさの独立制御は基板毎に６つに区分して行われている。
【００３８】
また、図５に示すように、各基板内の各ＬＥＤ群は、白色ＬＥＤ直列接続１４４等を４本並列接続した回路構成となっている。直列接続ＬＥＤ１４４等はそれぞれ１２個の白色ＬＥＤを直列接続したものである。この結果、第１電源部９４は１２個の白色ＬＥＤの直列接続を３つの基板の合計で全体として１２列分並列接続した回路構成となる。なお、個々の白色ＬＥＤは電気的な直列接続または並列接続に関わらず、機械的にはＬＥＤ照明灯内で一列に配置されている。この結果、第１ＬＥＤ群８２から第６ＬＥＤ群９２まで連続して２８８個の白色ＬＥＤがＬＥＤ照明灯内で一列に配置されることになる。そして、既に述べたように、その両端の白色ＬＥＤは隣のＬＥＤ照明灯の端部の白色ＬＥＤと近接した配置なになるので、境目のないライン状の証明が可能となる。
【００３９】
図６は、実施例１のリモコン６８の詳細構成を示すブロック図であり、図３と共通の部分には同一番号を付す。点灯操作にあたっては、操作部７０のオンボタン１４６を押すとリモコン操作部７２は無線通信部７４から全てのチャンネルについてデューティー１００％の点灯を指示するリモコン信号を送信する。同様に、オフボタン１４８を押すとリモコン操作部７２は無線通信部７４から全てのチャンネルについて消灯を指示するリモコン信号を送信する。
【００４０】
また、分割ボタン１５０を押すと、リモコン操作部７２は無線通信部７４からそれぞれのチャンネルに分割点灯のためのリモコン信号を送信する。具体的には、ガイド１５２に沿って図面の左右方向にスライド操作可能な第１スライダ１５４の右側に対応するＬＥＤ照明灯部分がデューティー１００％で点灯し、左側に対応するＬＥＤ照明灯部分が消灯するよう各チャンネルにリモコン信号を送信する。第１スライダ１５４による点灯部分と消灯部分の区分は、図１の（Ａ３）、（Ｂ１）、（Ｂ２）および（Ｂ３）等に対応する。なお、スライドレバー自体は無段階にスライド可能であるが、区分がＬＥＤ照明党の途中になる場合は、ガイド１５２に設けられた接点部分によって６分割のうちの最も近い分割点が検出される。
【００４１】
さらに、グラデーションボタン１５６を押すと、リモコン操作部７２は無線通信部７４からそれぞれのチャンネルにグラデーション点灯のためのリモコン信号を送信する。具体的には、第１スライダ１５４の左側が徐々に暗くなるグラデーションの始点となるようなリモコン信号を各チャンネルにリモコン信号を送信する。第１スライダ１５４によるグラデーション制御は、図１の（Ｃ１）または、（Ｃ２）に対応する。
【００４２】
以上のような、片側を消灯またはグラデーションとする制御を行う場合では、第２スライダ１５８は左端に退避させておく。これに対し、第２スライダ１５８を退避位置からガイド１５２内に出すと、第１スライダ１５４と第２スライダ１５８の内側がデューティー１００％で点灯するとともに、これらの外側が消灯または第１スライダ１５４と第２スライダを始点として徐々に暗くなるようなリモコン信号が送信される。第２スライダがガイド１５２内に出ている時にグラデーションボタン１５６を押したときの点灯状況は図１（Ｃ３）に対応する。なお、分割またはグラデーション点灯状態にあるとき第１スライダ１５４または第２スライダ１５８をスライド操作すると、これに応じて基準点を代えるためのリモコン信号が自動的に送信される。
【００４３】
反転ボタン１６０は、以上のような第１スライダ１５４または第２スライダ１５８を基準とする上記のような点灯関係を反転させる時に押される。従って、第２スライダ１５８が対比しているときに反転ボタン１６０を押すと第１スライダ１５４の左側がデューティー１００％で点灯する。また、第２スライダ１５８がガイド１５２内に出ているときに反転ボタン１６０を押すと、第１スライダ１５４と第２スライダ１５８の外側がデューティー１００％で点灯するようになる。
【００４４】
以上はＬＥＤ照明灯のチャンネルが設定済みであることを前提としたものであるが、次に天井にＬＥＤ照明灯を設置した初期に行うチャンネル設定について説明する。チャンネル設定はセットボタン１６２を押すことによって行われる。またリセットボタン１６４を押すとチャンネル設定がリセットされる。これらのセットボタン１６２およびリセットボタン１６４は、チャンネル設定後には通常使用する必要がないので誤操作を防止するたに操作部蓋１６６によって覆われている。なお、一度行ったチャンネル設定はＩＣタグに記憶されるので、次回ＬＥＤ照明灯を取り替えたときは、特に設定操作を行わなくても、ＩＣタグからその位置に対応するチャンネルがＬＥＤ照明灯によって読み取られる。
【００４５】
ＩＣタグへのチャンネル設定は、実施例１におけるＬＥＤ照明灯制御に不可欠なので、これが未設定状態にある限り表示部１６８に「チャンネル未設定」表示１７０が表示され続け、チャンネル設定を促す。設定が完了すれば、「チャンネル未設定」表示１７０は消える。セットボタン１６２が押されると表示部１６８に天井レイアウト表示１７２が表示される。これは、図２に対応するものであり、天井に設置されるＩＣタグの配置をＬＥＤ照明灯のシンボル１７４で示したものである。そして各シンボル近傍にはチャンネル設定状態表示１７６、１７８等が表示される。因みにチャンネル設定状態表示１７６はＩＣタグに「チャンネル１」が設定されていることを示し、チャンネル設定状態表示１７８の「？」はＩＣタグがチャンネル未設定状態であることを示す。
【００４６】
チャンネル未設定のＩＣタグが一つでもあると、表示部１６８に「次ＩＣタグＩＤ選択」表示１８０が表示される。表示部６８はタッチパネルになっているので、「次ＩＣタグＩＤ選択」表示１８０の部分を押すとチャンネル未設定状態にあるＩＣタグが一つ選択される。保持部５２の施工の際にはＩＣタグ位置とＩＤとの関係の管理は行わないので、選択されたＩＣタグが天井のどこにあるかは不明である。
【００４７】
しかしながらチャンネル設定状態では、「次ＩＣタグＩＤ選択」表示１８０の部分を押すことによって選択されたＩＣタグに対応する位置にあるＬＥＤ照明灯だけが点灯するので、選択されたＩＣタグの位置を知ることができる。そして天井の点灯状態を見て、選択されたＩＤがチャンネル設定状態表示１７８に対応することがわかれば、チャンネル指定部表示１８２の「３」を押すことによってこの部分にチャンネル３を設定することができる。この設定操作によってチャンネル設定状態表示１７８において設定された「３」が点滅するので、間違いなければ「３」が点滅している設定状態表示１７８を押せばこの部分のチャンネル設定が確定する。以上の操作を繰返し、すべてのチャンネル設定状態表示が「？」からチャンネル数字に変わるとチャンネル設定は完了であり、これに対応して「次ＩＣタグＩＤ選択」表示１８０およびチャンネル指定表示１８２が消える。また上記のように、「チャンネル未設定」表示１７０も消える。
【００４８】
図７は、図３の実施例１におけるＬＥＤ照明灯４の照明制御部６２の機能を示すフローチャートである。フローはＬＥＤ照明灯を保持部５２に取り付けることによってスタートする。フローがスタートすると、まずステップＳ２でＩＣタグ１９にチャンネルデータが書込み済みであるかどうかチェックする。そして書込み済みでなければステップＳ４でチャンネル設定信号がリモコンから受信しているかどうかチェックし、送信があればステップＳ６に進んで送信されたチャンネルをＬＥＤ照明灯自身で仮記憶するとともに、ステップＳ８で送信されたチャンネルをＩＣタグに書き込んでステップＳ１０に移行する。
【００４９】
一方、ステップＳ２でＩＣタグにチャンネルデータが書込み済みであればステップＳ１２に進み、ＩＣタグからチャンネルを読み取って記憶し、ステップＳ１０に移行する。また、ステップＳ４でチャンネル設定信号の受信が確認できない場合はステップＳ１４に進み、チャンネルを記憶済みであるかどうかチェックする。そして記憶済みでなければステップＳ１６に進み、リモコンからどのチャンネルでリモコン信号が送信されても対応できるよう全チャンネルを受信可能としてステップＳ１０に移行する。一方、ステップＳ１４でチャンネル記憶済みが検出できた場合は直接ステップＳ１０に移行する。以上によってどのような状態であってもリモコン信号に対応することができる。
【００５０】
ステップＳ１０では、リモコンから信号点灯信号またはなんらかの点灯状態変更信号を受信したかどうかチェックする。受信があればステップＳ１８に進み、現在自チャンネルを認識できる状態にあるかどうかチェックする。自チャンネルを認識できる状態とは、ＬＥＤ照明灯として自チャンネルを記憶している状態を意味する。そして自チャンネル認識可能であればステップＳ２０に進み自チャンネル宛の点灯情報を読み取ってステップＳ２２に進む。
【００５１】
ステップＳ２２では、読み取った点灯情報にＬＥＤ照明灯の途中の部分から点灯状態を変える必要のある複数のリモコン信号が含まれているかどうかチェックする。そして複数の信号が含まれていればステップＳ２４に進み、各ＬＥＤ群個別のＰＷＭ制御を指示してステップＳ２６に移行する。一方、ステップＳ１８で自チャンネルを認識できないときはステップＳ２８に移行し、最大デューティーを設定するとともにステップＳ３０でＬＥＤ照明灯内の全てのＬＥＤ群に共通のＰＷＭ制御を指示してステップＳ２６に移行する。これは自チャンネルが認識できなければ、なんらかの点灯信号である限り、リモコン信号の内容にかかわらず全ＬＥＤ群共通でデューティー１００％の点灯を行うことを意味する。つまり、なんらかのリモコン信号があれば、具体的な指示は不明であっても、消灯信号でない限りはとにかく点灯させることを優先する。
【００５２】
ステップＳ２６では、消灯信号を受信したかどうかチェックする。そして受信がなければステップＳ１０に戻り、以下ステップＳ１０およびステップＳ１８からステップＳ２６を繰り返し、次のリモコン信号に備える。一方、ステップＳ２６で消灯信号の受信を確認したときはステップＳ３２に進み、全ＬＥＤ群を消灯させてステップＳ４に戻る。また、ステップＳ１０で点灯信号または変更信号の受信を検出しないときもステップＳ４に戻る。このようにして、ステップＳ４からステップＳ１０およびステップＳ１４からステップＳ３２の機能によって、種々の状況変化に対応することができる。
【００５３】
図８は、図３の実施例１におけるリモコン６８のリモコン制御部７２の機能を示す基本フローチャートである。フローはリモコン６８への電池挿入などの給電開始によりスタートする。フローがスタートすると、ステップＳ４２でチャンネル設定完了かどうかチェックする。そして設定完了であればステップＳ５０に進む。一方、ステップＳ４２でチャンネル設定完了が検知できないときはステップＳ４６に進み、表示部１６８による「チャンネル未設定」表示の開始を指示し、ステップＳ４８のチャンネル設定処理に入る。そしてチャンネル設定処理が終了するとステップＳ５０に移行する。なお、後述のように、ステップＳ４８のチャンネル設定処理は、設定開始操作が所定時間内に行われなければ直ちに終了する。この場合は、チャンネル未設定状態が継続する。チャンネル設定処理の詳細は後述する。
【００５４】
ステップＳ５０では、点灯操作が行われたかどうかチェックする。点灯操作が検知できなければフローはステップＳ４２に戻り、以下ステップＳ４２からステップＳ５０が繰り返され、点灯操作または必要に応じチャンネル設定操作を待つ。ステップＳ５０で点灯操作が検知されるとステップＳ５２に進み、「分割」または分割の変更の操作が行われたか否かチェックする。これらの操作が検知されなければステップＳ５４に進み、「グラデーション」またはグラデーション変更の操作が行われたか否かチェックする。これらの操作が検知されなければステップＳ５６に進み、点灯信号を送信済みかどうかチェックする。そして送信済みでなければステップＳ５８に進み、全チャンネルにおいて最大デューティーでの点灯を指示する信号の送信を指示してステップＳ６０に至る。これに対し、ステップＳ５６で点灯信号送信済みであることが検知されれば直接ステップＳ６０に移行する。ステップＳ５６は、後述のようにフローがステップＳ５２に戻って再びステップＳ５６に至った時必要となる。
【００５５】
一方、ステップＳ５２で「分割」操作または分割変更操作が行われたことが検知されるとステップＳ６２に進み、チャンネル設定が完了しているかどうかチェックする。そしてチャンネル設定完であればステップＳ６４に進み、分割点灯のための「分割」処理を行ってステップＳ６０に至る。「分割」処理の詳細は後述する。これに対し、ステップＳ６２でチャンネル設定完了が検知できない時は、チャンネル別の制御ができないのでステップＳ５６に移行する。つまり、この場合「分割」／変更操作は無効となる。
【００５６】
また、ステップＳ５４で「グラデーション」操作またはグラデーション変更操作が行われたことが検知されるとステップＳ６６に進み、チャンネル設定が完了しているかどうかチェックする。そしてチャンネル設定完であればステップＳ６８に進み、グラデーション点灯のための「グラデーション」処理を行ってステップＳ６０に至る。「グラデーション」処理の詳細は後述する。これに対し、ステップＳ６６でチャンネル設定完了が検知できない時は、チャンネル別の制御ができないのでステップＳ５６に移行する。つまり、この場合「グラデーション」／変更操作は無効となる。
【００５７】
ステップＳ６０では消灯操作が行われたかどうかチェックする。操作が検知できなければステップＳ５２に戻り、以下、ステップＳ５２からステップＳ６４を適宜繰り返して種々の状況に対応する。この間、何も操作が行われなければ、ステップＳ５２、ステップＳ５４、ステップＳ５６、ステップＳＳ６０を経てステップＳ５２に戻るループを繰り返し、リモコン信号は何も送信されないので、ＬＥＤ照明灯の点灯状態に変化はないことになる。一方ステップＳ６０で消灯操作が検知されるとステップＳ７０において全チャンネルにおける消灯信号の送信が指示され、ステップＳ４２に戻る。以下、適宜ステップＳ４２からステップＳ７０を繰り返して種々のリモコン操作に対応する。
【００５８】
図９は、図８のステップＳ４８におけるチャンネル設定処理の詳細を示すフローチャートである。フローがスタートすると、ステップＳ７２で所定時間内にセットボタン１６２によるチャンネル設定開始操作が行われたかどうかチェックする。操作が検知されるとステップＳ７４に進みデフォルトで所定のチャンネルを指定する。チャンネル設定が行われていないときは図７のステップＳ１６によりＬＥＤ照明灯は全チャンネル受信可能となっているのでデフォルトのチャンネルは何でもよい。次いでステップＳ７６では、表示部タッチパネルの「次ＩＣタグＩＤ選択」部分によりタグＩＤして操作が行われたかどうかチェックし、操作が検知されるとステップＳ７８に進む。一方、ステップＳ７６で操作が検知できないときはステップＳ７４に戻り、以下ステップＳ７４とステップＳ７６を繰り返して操作を待つ。
【００５９】
ステップＳ７８では、ＩＤにより指定されたＩＣタグに対応するＬＥＤ照明灯に点灯信号を送信する。これによってどの位置のＩＣタグが指定されたのかがわかる。そしてステップＳ８０に進み、点灯したＬＥＤ照明灯の位置を確認した上でのチャンネル設定操作を待つ。チャンネル設定操作が検出されるとステップＳ８２に進み、表示部１６８のチャンネル設定状態表示における設定チャンネル数字を点滅させて設定確認表示を行う。次いでステップＳ８４で確認操作を待ち、確認操作を検知するとステップＳ８６に進む。
【００６０】
ステップＳ８６では、上記のようにして確定したチャンネル設定信号を指定ＩＣタグに対応するＬＥＤ照明灯にチャンネル設定信号を送信する。このチャンネル設定信号は図７のステップＳ８により指定ＩＣタグに書き込まれるものである。次いでステップＳ８８では、表示部１６８のチャンネル設定状態表示の点滅を止め、確定したチャンネル数字を表示する。
【００６１】
次いでステップＳ９０では、設定したチャンネルを指定し、ステップＳ９２でその設定チャンネルに消灯信号を送信する。これはステップＳ７８で点灯させたＬＥＤ照明灯を消灯させることに相当するが、チャンネル設定の確認を兼ねてＩＣタグＩＤではなくチャンネル指定によりこの消灯を行うものである。そしてフローはステップＳ９４に進み、全てのＩＣタグがチャンネル設定済みかどうかチェックする。そしてチャンネル未設定のＩＣタグが残っていればステップＳ７４にもどり、次のＩＣタグについてステップＳ７４以下を繰り返す。一方、ステップＳ９４で全チャンネル設定済みが検知されるとフローを終了する。なお、ステップＳ７２で所定時間内のチャンネル設定開始操作が検知できなければ直ちにフローを終了する。
【００６２】
図１０は、図８のステップＳ６４における「分割」処理の詳細を示すフローチャートである。フローがスタートすると、ステップＳ１０２でスライダ位置情報を読み取る。次いでステップＳ１０４で複数種類の点灯信号が指示されているＬＥＤ照明灯の有無をチェックする。これは、スライダがいずれかのＬＥＤ照明灯の途中で点灯状態を変えるような位置にあるかどうかのチェックに該当するのでステップＳ１０２で得られる読取情報から判断できる。なお、「分割」処理の場合、「複数種類」とは点灯信号と消灯信号であり、一つのＬＥＤ照明灯の一部を点灯させ一部を消灯させる場合に該当する。ステップＳ１０４でこのような場合に該当することが検知されるとステップＳ１０６に進み、複数種類の点灯信号を指示しているチャンネルを一つ選択する。
【００６３】
次いでステップＳ１０８では、選択したチャンネルにおいて６つのＬＥＤ群に対してそれぞれ個別に独立した点灯または消灯信号を作成する。さらにステップＳ１１０では点灯させるべきＬＥＤ群に最大デューティーを設定する。そしてステップＳ１１２に進み、複数種類の点灯信号を指示している全てのチャンネルについてステップＳ１０６からステップＳ１１０の処理が完了したかどうかチェックする。処理のチャンネルがあればステップＳ１０６に戻り、次のチャンネルについて同様の処理を行う。一方、ステップＳ１１２で全てのチャンネルについて処理が完了していればステップＳ１１４に移行する。また、ステップＳ１０４で複数種類の点灯信号が指示されているＬＥＤ照明灯が全く検知されなかった時は直ちにステップＳ１１４に移行する。
【００６４】
ステップＳ１１４では、単一種類のリモコン信号つまり点灯または消灯のみを指示しているチャンネルを全て選択する。そしてステップＳ１１６においてこれらのチャンネルについてチャンネル毎に点灯または消灯の信号を作成する。さらにステップＳ１１８では点灯させるべきチャンネルに最大デューティーを設定してステップＳ１２０に移行する。
【００６５】
ステップＳ１２０では、反転操作が行われたかどうかチェックし、操作が検知されるとステップＳ１２２に進んで作成信号を反転させる処理を行ってステップＳ１２４に移行する。一方、ステップＳ１２０で反転操作が検出されないときは直接ステップＳ１２４に移行する。ステップＳ１２４では、以上のようにして作成したリモコン信号を各チャンネルにて送信しフローを終了する。
【００６６】
図１１は、図８のステップＳ６８における「グラデーション」処理の詳細を示すフローチャートである。フローがスタートすると、ステップＳ１３２でスライダ位置情報を読み取る。次いでステップＳ１３４で複数種類の点灯信号が指示されているＬＥＤ照明灯の有無をチェックする。なお、「グラデーション」処理の場合、「複数種類」とは点灯信号と消灯信号のほか互いにデューティーの異なる点灯信号も該当する。ステップＳ１３４でこのような場合に該当することが検知されるとステップＳ１３６に進み、複数種類の点灯信号を指示しているチャンネルを一つ選択する。
【００６７】
次いでステップＳ１３８では、選択したチャンネルにおいて６つのＬＥＤ群に対してそれぞれ個別に独立した点灯または消灯信号を作成する。さらにステップＳ１４０では点灯させるべきＬＥＤ群のそれぞれに指定されたデューティーを設定する。そしてステップＳ１４２に進み、複数種類の点灯信号を指示している全てのチャンネルについてステップＳ１０６からステップＳ１１０の処理が完了したかどうかチェックする。未処理のチャンネルがあればステップＳ１３６に戻り、次のチャンネルについて同様の処理を行う。一方、ステップＳ１４２で全てのチャンネルについて処理が完了していればステップＳ１４４に移行する。また、ステップＳ１３４で複数種類の点灯信号が指示されているＬＥＤ照明灯が全く検知されなかった時は直ちにステップＳ１４４に移行する。
【００６８】
ステップＳ４４では、単一種類の点灯信号を指示しているチャンネルを一つ選択する。次いでステップＳ１４６では、選択したチャンネルに消灯信号を設定すべきかどうかチェックする。該当しなければステップＳ１４８に進み、選択したチャンネルのための点灯信号を作成し指定したデューティーを設定してステップＳ１５０に移行する。一方ステップＳ１４６において選択チャンネルに消灯信号を設定すべきことが検出された時はステップＳ152に進んで消灯信号を作成し、ステップＳ１５０に移行する。ステップＳ１５０では、単一種類の点灯信号を指示している全てのチャンネルについてステップＳ１４４からステップＳ１４８またはステップＳ１５２の処理が完了したかどうかチェックする。未処理のチャンネルがあればステップＳ１４４に戻り、次のチャンネルについて同様の処理を行う。一方、ステップＳ１５０で全てのチャンネルについて処理が完了していればステップＳ１５４に移行する。
【００６９】
ステップＳ１５４では、反転操作が行われたかどうかチェックし、操作が検知されるとステップＳ１５６に進んで作成信号を反転させる処理を行ってステップＳ１２４に移行する。一方、ステップＳ１５４で反転操作が検出されないときは直接ステップＳ１５８に移行する。ステップＳ１５８では、以上のようにして作成したリモコン信号を各チャンネルにて送信しフローを終了する。
【実施例２】
【００７０】
図１２は、本発明の実施の形態に係る照明装置の実施例２におけるＬＥＤ照明灯の詳細構成を示すブロック図である。実施例２のＬＥＤ照明灯における点灯状態の外観図および照明装置を天井に設置した際の配置図は、図１および図２の実施例１と共通である。また要部断面を模式的に示したブロック図も図３の実施例１と共通である。さらにＬＥＤ照明灯の詳細構成についても図４の実施例１と共通の部分が多いので対応する部分には同一の番号を付し、説明は省略する。
【００７１】
図１２に示した実施例２のＬＥＤ照明灯が図４の実施例１と異なるのは、実施例１がＬＥＤ群単位で独立にＰＷＭ制御されていたのに対し、実施例２では白色ＬＥＤの直列接続単位で独立にＰＷＭ制御するようにした点である。これによって、ＬＥＤ照明灯は２４の区分毎に独立して点灯制御可能となり、よりきめ細かく点灯と消灯の区切りを変更できるとともにグラデーションについてもより連続的に変更することが可能となる。このことは、実施例１の図５と実施例２の図１２における第１基板１３８同士を比較するとよりよく理解できる。
【００７２】
具体的に説明すると、第１ＬＥＤ群をなす白色ＬＥＤ直列接続３０２、３０４、３０６および３０８は、それぞれスイッチ素子３１０、３１２、３１４および３１６を介して定電流源３１８、３２０、３２２および３２４に接続されている。これによって、スイッチ素子３１０、３１２、３１４および３１６をそれぞれ個別に制御すれば、白色ＬＥＤ直列接続３０２、３０４、３０６および３０８の点灯状態を個別に制御できる。
【００７３】
スイッチ素子３１０、３１２、３１４および３１６は、それぞれＰＷＭ制御部３２６、３２８、３３０および３３２によりパルス駆動されており、それぞれのＰＷＭ制御におけるデューティーサイクルを１００％からゼロの間で変更することによりフル点灯から消灯の間で白色ＬＥＤ直列接続３０２、３０４、３０６および３０８の明るさを独立に調光できる。ＰＷＭ制御部３２６、３２８、３３０および３３２にそれぞれ個別に与えられるデューティーサイクルは第1個別デューティー制御部１３４が制御する。
【００７４】
第１電源部９４から給電されて第１個別デューティ制御部１３４によって制御される第２基板１４０、第３基板１４２は、第１基板１３８と同一の構成なので簡単のため図示を省略している。また、第２電源部９６から給電されて第２個別デューティ制御部１３６によって制御される他の三つの基盤いついても同様の構成なので第４基板３３４のみを図示し、他は省略するとともに第４基板３３４についても詳細構成の図示を省略している。
【実施例３】
【００７５】
図１３は、本発明の実施の形態に係る照明装置の実施例３におけるＬＥＤ照明灯の詳細構成を示すブロック図である。実施例３のＬＥＤ照明灯における点灯状態の外観図および照明装置を天井に設置した際の配置図についても、図１および図２の実施例１と共通である。また要部断面を模式的に示したブロック図も図３の実施例１と共通である。さらにＬＥＤ照明灯の詳細構成についても図４の実施例１と共通の部分が多いので対応する部分には同一の番号を付し、説明は省略する。
【００７６】
図１３に示した実施例３のＬＥＤ照明灯が図４の実施例１と異なるのは、実施例１がＬＥＤ群単位で独立にＰＷＭ制御されていたのに対し、実施例３では電源部単位で独立にＰＷＭ制御するようにした点である。これによって、ＬＥＤ照明灯は２つの区分に分割して独立に点灯制御可能されることになる。このような実施例３は分割の区分は粗くなるが、電源部単位でＰＷＭを行うのできわめて構成が簡単となるとともに、ＬＥＤ照明灯の半分の長さの単位で独立に調光が可能なので、本発明の利点も享受することができる。このことは、実施例１の図４と実施例３の図１３を比較するとよりよく理解できる。
【００７７】
具体的に説明すると、第１電源部により給電される第１ＬＥＤ群４０２、第２ＬＥＤ群４０４および第３ＬＥＤ群４０６は並列接続によりまとめられ、スイッチ素子４０８を介して定電流源４１０に接続されている。一方、第２電源部９６により給電される第４ＬＥＤ群４１２、第５ＬＥＤ群４１４および第６ＬＥＤ群４１６も並列接続によりまとめられ、スイッチ素子４１８を介して定電流源４２０に接続されている。これによって、スイッチ素子４０８および４１８をそれぞれ個別に制御すれば、第1電源部９４から給電されるＬＥＤ群と第２電源部９６から給電されるＬＥＤ群の点灯状態を個別に制御できる。
【００７８】
スイッチ素子４０８および４１８は、それぞれＰＷＭ制御部４２２および４２４によりパルス駆動されており、それぞれのＰＷＭ制御におけるデューティーサイクルを１００％からゼロの間で変更することによりフル点灯から消灯の間でＬＥＤ群の明るさを電源部単位で独立に調光できる。ＰＷＭ制御部４２２および４２４にそれぞれ個別に与えられるデューティーサイクルは個別デューティー制御部４２６が制御する。
【産業上の利用可能性】
【００７９】
本発明は、天井照明や壁面照明のために好適な照明装置を提供するものである。
【符号の説明】
【００８０】
４、１４，２４  第１の照明灯
６、１６、２６  第２の照明灯
７０  決定手段
７４  送信手段
５６  ＬＥＤ
８  制御部
１６  告知部
１９、２０  識別情報記憶手段
１９、２０  情報記憶手段
【図１】
2010277743.tif 000003
【図２】
2010277743.tif 000004
【図３】
2010277743.tif 000005
【図４】
2010277743.tif 000006
【図５】
2010277743.tif 000007
【図６】
2010277743.tif 000008
【図７】
2010277743.tif 000009
【図８】
2010277743.tif 000010
【図９】
2010277743.tif 000011
【図１０】
2010277743.tif 000012
【図１１】
2010277743.tif 000013
【図１２】
2010277743.tif 000014
【図１３】
2010277743.tif 000015